(57)【要約】【課題】  表示パネルと入力パネルを共に強固に位置決めでき、且つ組立も容易な「表示装置」を提供する。【解決手段】  金属シャーシ１０の下部に開放部１５が形成されており、表示パネル２０は開放部１５から金属シャーシ１０の内部に差し込まれて挿入される。開放部１５にアンテナ素子３５を保持した支持ブラケット３０が固定されて、表示パネル２０が金属シャーシ１０に保持される。金属シャーシ１０に側板部１２，１３，１４が折り曲げられ、その前方に支持片１２ａ，１３ａ，１４ａが形成されている。背部弾性片１７によって、表示パネル２０が、支持片１２ａ，１３ａ，１４ａに押し付けられて位置決めされる。そして、支持片１２ａ，１３ａ，１４ａの前部に入力パネル４０が固着される。【選択図】図２
2014206676.tif 000002
【特許請求の範囲】
【請求項１】
金属シャーシに表示パネルが保持されている表示装置において、
前記金属シャーシは、背板部と、前記背板部の一部で形成された背部弾性片と、背板部の３辺から折り曲げられた側板部と、それぞれの側板部から折り曲げられて前記背板部の前方に対向する支持片とを有し、他の１辺が前記側板部を有しない開放部となっており、
前記表示パネルが、前記開放部から前記背板部に沿う向きに挿入されて、前記表示パネルの３辺の縁部が、前記背板部と前記支持片との間に位置し、前記背部弾性片で前記縁部の前面が前記支持片に押し付けられて位置決めされるとともに、前記開放部で前記背板部に支持ブラケットが固定されて前記表示パネルが前記金属シャーシに保持されており、
前記表示パネルの前方に、透光性の入力パネルが設けられ、この入力パネルの縁部が、前記支持片の表面に固着されていることを特徴とする表示装置。
【請求項２】
前記支持ブラケットに、アンテナ素子が固定されている請求項１記載の表示装置。
【請求項３】
前記入力パネルの他の１辺の縁部が、前記支持ブラケットの表面に固着されている請求項１または２記載の表示装置。
【請求項４】
前記側板部の一部で側部弾性片が形成され、この側部弾性片が前記表示パネルの側面に当接して、前記表示パネルが位置決めされている請求項１ないし３のいずれかに記載の表示装置。
【発明の詳細な説明】
【技術分野】
【０００１】
液晶表示パネルや有機エレクトロクロミック表示パネルなどの表示パネルが金属製のシャーシに保持された表示装置に関する。
【背景技術】
【０００２】
車載用などの表示装置は、表示パネルが金属製のシャーシに保持され、シャーシで補強されて保護された状態で化粧パネルの内部に収納されている。さらに、画面をタッチして操作できる表示装置では、表示パネルの前方に、静電容量式や抵抗式の透光性の入力パネルが設置される。この種の表示装置においては、入力パネルが人の指などで操作されて強く押されたときに、その加圧力が表示パネルに及び、画面のゆがみや表示内容のにじみなどが発生するという問題がある。
【０００３】
特許文献１に記載された表示装置は、３辺に側板部が立ち上がるフレームの内部に液晶表示パネルが収納されている。タッチパネルはタッチパネルフレームに支持されて、液晶表示パネルの前方に設置されており、液晶表示パネルとタッチパネルとの間に透明シリコンゴムが介在している。
【０００４】
特許文献１に記載された表示装置は、タッチパネルの表面が入力ペンで押されたときの力を透明シリコンゴムで吸収させることで、液晶表示パネルに加わる力を軽減させ、液晶表示パネルの表示内容ににじみが生じないように改善しようとしている。
【０００５】
特許文献１に記載された表示装置は、液晶表示パネルとタッチパネルとの間に透明シリコンゴムが介在しているが、液晶表示パネルから発せられる表示品質を阻害しないようにするためには、超透明の非常に高価なシリコンゴムを使用することが必要になる。また、液晶表示パネルの表示画面に対しタッチパネルが距離を空けて対向することになるので、タッチパネルを操作するときの表示画面との長い隙間の介在により操作者に違和感を与えやすい。
【０００６】
特許文献２に示す表示装置は、ハウジングの１辺に開口部が形成され、液晶パネルがこの開口部からハウジングの内部に差し込まれるように挿入される。しかし、特許文献２にはハウジングに液晶パネルを固定する固定手段が開示されていないため、液晶パネルをハウジングの内部で位置決めすることができない。
【先行技術文献】
【特許文献】
【０００７】
【特許文献１】特開２００４−１０１８５１号公報
【特許文献２】特開２００２−７２２３５号公報
【発明の概要】
【発明が解決しようとする課題】
【０００８】
本発明は上記従来の課題を解決するものであり、表示パネルを金属製のシャーシの内部に安定して保持させることができ、且つ入力パネルを強固に支持できて操作力が表示パネルに与える悪影響を低減させ、さらに表示パネルと入力パネルの距離も接近させることができる入力装置を提供することを目的としている。
【課題を解決するための手段】
【０００９】
本発明は、金属シャーシに表示パネルが保持されている表示装置において、
前記金属シャーシは、背板部と、前記背板部の一部で形成された背部弾性片と、背板部の３辺から折り曲げられた側板部と、それぞれの側板部から折り曲げられて前記背板部の前方に対向する支持片とを有し、他の１辺が前記側板部を有しない開放部となっており、
前記表示パネルが、前記開放部から前記背板部に沿う向きに挿入されて、前記表示パネルの３辺の縁部が、前記背板部と前記支持片との間に位置し、前記背部弾性片で前記縁部の前面が前記支持片に押し付けられて位置決めされるとともに、前記開放部で前記背板部に支持ブラケットが固定されて前記表示パネルが前記金属シャーシに保持されており、
前記表示パネルの前方に、透光性の入力パネルが設けられ、この入力パネルの縁部が、前記支持片の表面に固着されていることを特徴とするものである。
【００１０】
本発明は、前記支持ブラケットに、アンテナ素子が固定されているものとして構成できる。
【００１１】
本発明では、前記入力パネルの他の１辺の縁部が、前記支持ブラケットの表面に固着されていることが好ましい。
【００１２】
本発明は、前記側板部の一部で側部弾性片が形成され、この側部弾性片が前記表示パネルの側面に当接して、前記表示パネルが位置決めされているものとして構成できる。
【発明の効果】
【００１３】
本発明は、表示パネルの縁部の前面が金属シャーシの支持片に押し付けられて位置決めされ、支持片の前方に入力パネルが固着されているため、支持片の強度をある程度強くしておけば、表示パネルと入力パネルの双方を強固に固定でき、入力パネルを操作したときの加圧力が表示パネルに大きく影響を与えるのを抑制できる。また、表示パネルと入力パネルの距離を接近させることができるため、入力パネルを操作するときに画面に直接に指などを触れている操作感触を得ることができる。
【００１４】
また、表示パネルは、金属シャーシの背板部に形成された背部弾性片で加圧されて位置決めされているので、表示パネルが金属シャーシの内部でがたつきを生じることなく保持される。また、金属シャーシの側板部に形成された側部弾性片で表示パネルを保持することで、さらに表示パネルの位置決めを強固にできる。
【００１５】
本発明は、金属シャーシの開放部に支持ブラケットが固定されているため、金属シャーシに挿入された表示パネルを金属シャーシに確実に保持させることができる。さらに、支持ブラケットにアンテナ素子を固定することで、支持ブラケットに、表示パネルの保持とアンテナ素子の保持の双方の機能を兼用させることができる。
【図面の簡単な説明】
【００１６】
【図１】表示装置を示す斜視図、
【図２】金属シャーシと表示パネルと支持ブラケットを示す分解斜視図、
【図３】入力パネルの取付け構造を示す分解斜視図、
【図４】図１のＩＶ−ＩＶ線の断面図、
【図５】図１のＶ−Ｖ線の断面図、
【発明を実施するための形態】
【００１７】
図１に示す表示装置１は主に車載用として使用される。
各図では、Ｙ１方向が前方、Ｙ２方向が後方、Ｘ１方向が右方向でＸ２方向が左方向、Ｚ１方向の上方向でＺ２方向が下方向である。
【００１８】
表示装置１は、金属シャーシ１０に表示パネル２０が保持され、金属シャーシ１０の下端部に支持ブラケット３０が固定されている。金属シャーシ１０は比較的剛性が高い金属板で形成されており、表示パネル２０が金属シャーシ１０に保持されて保護されている。表示パネル２０の前方（Ｙ１方向）に透光性の入力パネル４０が設置されている。
【００１９】
図１に示す表示装置１は、図示していない合成樹脂製の化粧パネルの内部に収納されて使用される。化粧パネルには画面開口部が形成され、表示パネル２０の画面と入力パネル４０はこの画面開口部に現れる。例えば、化粧パネルは車室内に設置される筐体から突出自在に支持され、または車室内のダッシボードに突出自在に支持される。
【００２０】
図２には、金属シャーシ１０と表示パネル２０ならびに支持ブラケット３０が分解斜視図で示されている。
【００２１】
金属シャーシ１０は、圧延鋼板などの比較的剛性の高い金属板を使用してプレス加工で形成されている。図２に示すように、金属シャーシ１０は背板部１１を有している。背板部１１は上辺１１ａと右辺１１ｂと左辺１１ｃならびに下辺１１ｄを有する矩形状（長方形状）である。
【００２２】
背板部１１の上辺１１ａから上側板部１２が前方に向けてほぼ直角に折り曲げられ、右辺１１ｂから右側板部１３が、左辺１１ｃから左側板部１４がそれぞれ前方に向けてほぼ直角に折り曲げられている。上側板部１２の先部に上支持片１２ａがほぼ直角に曲げられ、右側板部１３の先部に右支持片１３ａが、左側板部１４の先部に左支持片１４ａが、それぞれほぼ直角に曲げられている。
【００２３】
図４に示すように、右支持片１３ａは、背板部１１の前方に間隔を空けて背板部１１の前面と平行に位置している。同様に、上支持片１２ａと左支持片１４ａも背板部１１の前方に間隔を空けて背板部１１の前面と平行に位置している。
【００２４】
図２に示すように、背板部１１の下辺１１ｄには、上側板部１２ならびに右側板部１３または左側板部１４のような折曲げ部が形成されておらず、開放部１５となっている。開放部１５では、背板部１１の一部が前方（Ｙ１方向）へ隆起した隆起取付け部１６が一体に形成されており、隆起取付け部１６に一対の雌ねじ穴１６ａ，１６ａが形成されている。
【００２５】
金属シャーシ１０の背板部１１には左右２か所で合計４か所に背部弾性片１７が一体に形成されている。それぞれの背部弾性片１７は背板部１１を構成する金属板の一部を切り出して形成されている。背部弾性片１７の自由端部に、前方（Ｙ１方向）に隆起する背部押圧部１７ａが一体に形成されている。背部弾性片１７は、背部押圧部１７ａが、背板部１１の前面よりも前方に位置するように、起点部１７ｂから前方へ折り曲げられている。
【００２６】
金属シャーシ１０は比較的剛性の高い金属板で形成されているため、背部弾性片１７は、弾性係数が比較的高い弾性押圧部として機能する。
【００２７】
図２に示すように、金属シャーシ１０の右側板部１３に一対の側部弾性片１８が一体に形成されている。側部弾性片１８は側板部１３を構成する金属板の一部を切り出して形成されており、自由端部に左方向（Ｘ２方向）すなわち金属シャーシ１０の内方に隆起する側部押圧部１８ａが一体に形成されている。側部弾性片１８は、金属シャーシ１０の内方へ向けて折り曲げられ、弾性係数が比較的高い弾性押圧部として機能する。
【００２８】
図２と図５に示すように、支持ブラケット３０は、金属シャーシ１０と同じ厚さで同じ材質の金属板でプレス成形されている。
【００２９】
支持ブラケット３０は連結板部３１を有し、連結板部３１に一対の取付け穴３１ａ，３1ａが開口している。支持ブラケット３０を構成する金属板は、連結板部３１の下端から前方（Ｘ１方向）へ折り曲げられて、支持板部３２が形成されている。図５に示すように、支持板部３２の一部が上向き（Ｚ１方向）へ隆起して支持突部３２ａが形成されている。
【００３０】
図２に示すように、支持ブラケット３０には、支持板部３２の前端部から上向きに折り曲げられた垂直保持片３３ａ，３３ａが形成され、その上端から後方へ水平保持片３３ｂ，３３ｂが折り曲げられている。垂直保持片３３ａ，３３ａと水平保持片３３ｂ，３３ｂは、左右方向へ間隔を空けて配置され、右側（Ｘ１側）の水平保持片３３ｂから左方向（Ｘ２方向）へ一体に延び出る弾性保持片３３ｃが設けられている。
【００３１】
前記支持板部３２と弾性保持片３３ｃとの間にアンテナ保持部３３が形成されている。そしてアンテナ保持部３３にアンテナ素子３５が保持されて固定されている。このアンテナ素子３５はブルートゥース規格（Bluetooth:登録商標）の信号の送受信を行うものである。
【００３２】
支持ブラケット３０には、水平保持片３３ｂ，３３ｂの後端部から上向きに垂直に延びるブラケット支持片３４が一体に形成されている。
【００３３】
表示パネル２０は、カラー液晶表示パネルである。ただし、表示パネル２０が液晶表示パネル以外の有機エレクトロクロミック表示パネルなど各種表示方式のパネルであってもよい。
【００３４】
図４と図５に表示パネル２０の断面構造が示されている。表示パネル２０は、背部支持パネル２１を有している。背部支持パネル２１の前方に液晶駆動パネル２２が保持されている。液晶駆動パネル２２の縁部の側部と前方に枠ブラケット２３が装着され、この枠ブラケット２３の前部にカバー板２４が設置されている。さらに、カバー板２４の縁部の外周は額パネル２５で保持されている。額パネル２５は、カバー板２４の縁部の前部に重ねられる縁板部２５ａと、液晶駆動パネル２２の側部を覆う側板部２５ｂとが曲げられている。図５に示すように、表示パネル２０の下端部に、側板部２５ｂが現れている。
【００３５】
背部支持パネル２１と額パネル２５は、金属板を折り曲げて形成されている。背部支持パネル２１と額パネル２５は、金属シャーシ１０と支持ブラケット３０のそれぞれを構成する金属板よりも薄い金属板で形成されている。すなわち、金属シャーシ１０と支持ブラケット３０のそれぞれを構成する金属板は、背部支持パネル２１と額パネル２５を構成する金属板よりも剛性が高くなっている。
【００３６】
液晶駆動パネル２２は、液晶層や駆動電極と偏光層ならびにカラーフィルターなどを有している。カバー板２４は、ガラス板または透明あるいは透光性のプラスチック板である。
【００３７】
表示パネル２０を金属シャーシ１０に装着する組立作業では、図２に示すように、表示パネル２０が、金属シャーシ１０の下部の開放部１５から背板部１１に沿って、背板部１１と左右の支持片１３ａ，１４ａとの間に差し込むようにして挿入される。
【００３８】
金属シャーシ１０に表示パネル２０が挿入されると、表示パネル２０の右縁部２０ｂが、金属シャーシ１０の背板部１１と右支持片１３ａとの間に挟み込まれ、表示パネル２０の左縁部２０ｃが背板部１１と左支持片１４ａとの間に挟み込まれる。表示パネル２０が、金属シャーシ１０に対して上方に向けて押し込まれると、表示パネル２０の上縁部２０ａが、背板部１１と上支持片１２ａとの間に挟まれる。
【００３９】
表示パネル２０が金属シャーシ１０に差し込まれると、図４に示すように、背板部１１の４か所に設けられている背部弾性片１７の背部押圧部１７ａによって表示パネル２０が前方（Ｙ１方向）へ押され、表示パネル２０の右縁部２０ｂと左縁部２０ｃのそれぞれの前面が、右支持片１３ａと左支持片１４ａに押し付けられる。また、表示パネル２０の上縁部２０ａの前面が上支持片１２ａに押し付けられる。
【００４０】
さらに、右側板部１３の２か所に設けられた側部弾性片１８の側部押圧部１８ａによって、表示パネル２０の右側面２０ｂ１が左方向（Ｘ２方向）へ押され、表示パネル２０の左側面２０ｃ１が、金属シャーシ１０の左側板部１４に押し付けられる。
【００４１】
表示パネル２０は、背部弾性片１７で前方へ押されて、上支持片１２ａならびに右支持片１３ａと左支持片１４ａの内面に押し付けられ、側部弾性片１８で押されて左側板部１４に押し付けられる。これにより、表示パネル２０は、金属シャーシ１０内で前後方向（Ｙ１−Ｙ２方向）と左右方向（Ｘ１−Ｘ２方向）の双方に動くことがなく、しっかりと位置決めされて保持される。
【００４２】
表示パネル２０が開放部１５から金属シャーシ１０の内部に差し込まれた後に、アンテナ素子３５を保持した支持ブラケット３０が、金属シャーシ１０の開放部１５に固定される。ただし、支持ブラケット３０が金属シャーシ１０に取り付けられた後に、アンテナ素子３５が支持ブラケット３０に取り付けられてもよい。
【００４３】
図５に示すように、支持ブラケット３０の連結板部３１が、金属シャーシ１０の背板部１１の下辺１１ｄに形成された隆起取付け部１６の背部に設置される。固定ねじ３６が連結板部３１の取付け穴３１ａに挿入され、隆起取付け部１６に形成された雌ねじ穴１６ａに螺着されて、支持ブラケット３０が金属シャーシ１０に固定される。ブラケット支持片３４は、表示パネル２０の下縁部２０ｄの前方に位置し、背部弾性片１７の加圧力により、表示パネル２０の下縁部２０ｄに設けられている額パネル２５の縁板部２５ａがブラケット支持片３４に押し付けられる。
【００４４】
表示パネル２０は、背部弾性片１７によって、金属シャーシ１０の上支持片１２ａと右支持片１３ａならびに左支持片１４ａに押し付けられるのみならず、下部の開放部１５においても、表示パネル２０の下縁部２０ｄが支持ブラケット３０のブラケット支持片３４に押し付けられる。表示パネル２０は、その４辺の縁部２０ａ，２０ｂ，２０ｃ，２０ｄの全てが金属シャーシ１０によってしっかりと位置決めされて保持される。
【００４５】
図５に示すように、金属シャーシ１０に支持ブラケット３０が取り付けられると、支持板部３２に設けられた支持突部３２ａが、表示パネル２０の下縁部２０ｄに設けられた側板部２５ｂに押し付けられる。これにより、表示パネル２０は金属シャーシ１０の内部で、下方へ抜け出ることのないようにまた上下に動くことのないように位置決めされて保持される。
【００４６】
図３には、表示パネル２０が金属シャーシ１０に挿入され且つ支持ブラケット３０が固定された後に、入力パネル４０が取り付けられる工程が示されている。
【００４７】
入力パネル４０は、透明または透光性の透視パネル４１にＩＴＯなどの透明電極が複数形成され、その前方に透明または透光性の表面層が設けられている。指が表面層に触れると電極と指との間に静電容量が形成されて、電極間の電流が変化し、指が触れた座標位置を検出できるいわゆる静電容量型入力パネルである。または、透視パネル４１が２つのシートで構成され、指などが触れた位置で、２つのシートの対面部に形成された電極どうしが接触する、いわゆる接触型入力パネルや抵抗変化型入力パネルであってもよい。
【００４８】
透視パネル４１の４辺に枠体４２が固定されている。透視パネル４１の電極から延びる配線は図示しないフレキシブル配線ケーブルによって、枠体４２の外側へ延び出て、金属シャーシ１０の内部に引き込まれている。
【００４９】
入力パネル４０は、接着部材によって金属シャーシ１０に固着される、図３では、接着部材として両面接着テープ４３ａ，４３ｂ，４３ｃならびに両面接着テープ４４が使用されている。
【００５０】
両面接着テープ４３ａは、金属シャーシ１０の上支持片１２ａの前面に固着され、両面接着テープ４３ｂ，４３ｃは、金属シャーシ１０の右支持片１３ａの前面と左支持片１４ａの前面に固着される。さらに、両面接着テープ４４が、支持ブラケット３０のブラケット支持片３４の前面に固着される。そして、入力パネル４０の枠体４２が、両面接着テープ４３ａ，４３ｂ，４３ｃならびに４４を介して、上支持片１２ａと右支持片１３ａと左支持片１４ａならびにブラケット支持片３４に固着される。
【００５１】
金属シャーシ１０の下部は、支持片１２ａ，１３ａ，１４ａを有しない開放部１５であるが、開放部１５において表示パネル２０を下から支持している支持ブラケット３０に入力パネル４０の下縁部が固定されるため、表示パネル２０の前方に入力パネル４０の４辺の全てを安定して固着させることができる。
【００５２】
組立後の表示装置１では、表示パネル２０の縁部が、上支持片１２ａと右支持片１３ａと左支持片１４ａならびにブラケット支持片３４に、内側から押し付けられ、入力パネル４０が、上支持片１２ａと右支持片１３ａと左支持片１４ａならびにブラケット支持片３４の前面に固着されている。そのため、図４と図５に示すように、表示パネル２０と入力パネル４０とをきわめて接近させて配置することができる。
【００５３】
表示装置１が使用されるときは、表示パネル２０による表示内容を、入力パネル４０の透視パネル４１を通じて前方から目視することができ、操作者は、透視パネル４１に指などを触れて、表示内容に合わせた各種操作入力が行われる。表示パネル２０と入力パネル４０がきわめて接近しているため、入力パネル４０における操作面と表示画像とを接近させることができ、操作者に表示内容に直接に指を触れているように感じさせることができ、入力操作感触が良好になる。
【００５４】
また、表示パネル２０が突き当てられ、入力パネル４０が固着されている上支持片１２ａと右支持片１３ａと左支持片１４ａならびにブラケット支持片３４は、表示パネル２０の背部支持パネル２１や枠部材２３よりも十分に剛性が高い金属板で形成されている。したがって、入力パネル４０の透視パネル４１の端部分が指で強く押されたとしても、その力が表示パネル２０に伝達されにくくなり、表示パネル２０の表示内容に歪みやにじみが生じるのを防止しやすくなっている。
【００５５】
また、組立作業では、表示パネル２０が金属シャーシ１０に装着された後に支持ブラケット３０を取り付けるだけで、表示パネル２０を、上支持片１２ａと右支持片１３ａと左支持片１４ａならびにブラケット支持片３４の内面を基準として位置決めできるので、組立作業が簡単で、組立精度も高くなる。
【００５６】
さらに、支持ブラケット３０がアンテナ素子３５を保持しているため、アンテナ素子３５を保持するための別の部材が不要になる。
【符号の説明】
【００５７】
１  表示装置
１０  金属シャーシ
１１  背板部
１１ａ  上辺
１１ｂ  右辺
１１ｃ  左辺
１１ｄ  下辺
１２  上側板部
１２ａ  上支持片
１３  右側板部
１３ａ  右支持片
１４  左側板部
１４ａ  左支持片
１５  開放部
１６  隆起取付け部
１７  背部弾性片
１８  側部弾性片
２０  表示パネル
３０  支持ブラケット
３１  連結板部
３３ｃ  弾性保持片
３５  アンテナ素子
４０  入力パネル
【図１】
2014206676.tif 000003
【図２】
2014206676.tif 000004
【図３】
2014206676.tif 000005
【図４】
2014206676.tif 000006
【図５】
2014206676.tif 000007